【手続補正書】
【提出日】平成19年10月19日(2007.10.19)
【手続補正１】
【補正対象書類名】明細書
【補正対象項目名】特許請求の範囲
【補正方法】変更
【補正の内容】
【特許請求の範囲】
【請求項１】（１）被験者の酸素摂取量を示す第１のパラメータ及び被験者の動脈酸素濃度を示す第２のパラメータを測定する過程と、
（２）被験者の動脈酸素濃度を変化させる過程と、
（３）過程（１）に記載された第１のパラメータ及び第２のパラメータの測定を繰り返す過程と、
（４）第１のパラメータ及び第２のパラメータについて過程（１）及び（３）により捕集した情報に基づいて被験者の心拍出量の推定値を決定する過程とを含むことを特徴とする心拍出量測定法。
【請求項２】  動脈酸素濃度を示す第２のパラメータは、SaO2、PaO2、CaO2又はSpO2の何れか１である請求項１に記載の方法。
【請求項３】  第１のパラメータを測定する過程は、被験者に流れ又は被験者から流れる呼吸流量を示す流量信号を出力する流量センサを被験者の気道に動作可能に連結して配置する過程を含む請求項１に記載の方法。
【請求項４】  第１のパラメータを測定する過程は、酸素センサを通過する気体中の酸素量を示す酸素濃度信号を出力する酸素分析要素を被験者の気道付近に配置する過程を含む請求項１に記載の方法。
【請求項５】  第２のパラメータを測定する過程は、被験者の酸素飽和度SpO2を示す信号を出力するパルス酸素濃度計センサを被験者に接触させる過程を含む請求項１に記載の方法。
【請求項６】  被験者の動脈酸素濃度を変化させる過程は、被験者が吸入すべき気体流量に無酸素呼吸気体を導入するか、又は、被験者が吸入すべき気体流量に酸素呼吸気体を導入する過程を含む請求項１に記載の方法。
【請求項７】  被験者の動脈酸素濃度を変化させる過程は、被験者に呼気を再呼吸させる過程を含む請求項１に記載の方法。
【請求項８】  再呼吸させる過程は、呼気が再呼吸される前に、呼気から二酸化炭素CO2を除去する過程を含む請求項７に記載の方法。
【請求項９】  被験者の心拍出量の推定値を決定する過程は、
過程（２）で被験者の動脈酸素濃度の誘導変化に応答して生ずる酸素摂取量の基準レベルに対する被験者の酸素摂取量の偏差量を決定する過程と、
過程（２）で被験者の動脈酸素濃度の誘導変化に応答して生ずる動脈酸素濃度の基準レベルに対する被験者の動脈酸素濃度の偏差量を決定する過程と、
酸素摂取量の偏差量を動脈酸素濃度の偏差量と比較する過程とを含む請求項１に記載の方法。
【請求項１０】  被験者の酸素摂取量の偏差量を決定する過程は、酸素摂取量の基準レベルと過程（２）の実行に応答して生ずる酸素摂取量曲線との間の有効領域を決定する過程を含み、被験者の動脈酸素濃度の偏差量を決定する過程は、動脈酸素濃度の基準レベルと過程（２）の実行に応答して生ずる動脈酸素濃度曲線との間の有効領域を決定する過程を含む請求項９に記載の方法。
【請求項１１】  被験者の酸素摂取の偏差量を決定する過程は、過程（２）の実行に応答して生ずる酸素摂取量曲線上の１点と酸素摂取量の基準レベルとの間に伸びる線の勾配を決定する過程を含み、被験者の動脈酸素濃度の偏差量を決定する過程は、過程（２）の実行に応答して生ずる動脈酸素濃度曲線上の１点と動脈酸素濃度の基準レベルとの間に伸びる線の勾配を決定する過程を含む請求項９に記載の方法。
【請求項１２】  被験者の酸素摂取量の偏差量を決定する過程は、過程（２）の実行に応答して生ずる酸素摂取量曲線上の１点と酸素摂取量の基準レベルとの間の大きさを決定する過程を含み、被験者の動脈酸素濃度の偏差量を決定する過程は、過程（２）の実行に応答して生ずる動脈酸素濃度曲線上の１点と動脈酸素濃度の基準レベルとの間の大きさを決定する過程を含む請求項９に記載の方法。
【請求項１３】  更に、過程（４）で決定される心拍出量の表示を人間が知覚できる形式によって出力する過程を含む請求項１に記載の方法。
【請求項１４】  被験者の酸素摂取量を示す第１のパラメータを測定する手段と、
被験者の動脈酸素濃度を示す第２のパラメータを測定する手段と、
被験者の動脈酸素濃度を変化させる手段と、
第１のパラメータ及び第２のパラメータの出力に基づいて、被験者の心拍出量の推定値を決定する処理装置と、
被験者の心拍出量を示す結果を出力する出力手段とを備えることを特徴とする心拍出量測定装置。
【請求項１５】  第２のパラメータを測定する手段は、被験者に接触するパルス酸素濃度計センサを備えるパルス酸素測定法装置である請求項１４に記載の装置。
【請求項１６】  動脈酸素濃度を示す第２のパラメータは、SaO2、PaO2、CaO2又はSpO2の何れか１である請求項１４に記載の装置。
【請求項１７】  被験者流量測定装置は、被験者の気道に動作可能に連結されて被験者の吸気及び呼気が通過する流量センサを備える請求項１４に記載の装置。
【請求項１８】  酸素分析装置は、（ａ）光学窓を有する気道アダプタと、（ｂ）光エミッタ及び光電検出器を有する酸素変換器とが設けられた酸素分析要素を備え、酸素分析要素は、被験者の気道付近に配置されて被験者の吸気及び呼気が光学窓の前部を通過する請求項１４に記載の装置。
【請求項１９】  被験者の動脈酸素濃度を変化させる手段は、被験者の吸気流中に無酸素呼吸気体を導入するか、又は、被験者の吸気流中に酸素呼吸気体を導入する装置を備える請求項１４に記載の装置。
【請求項２０】  被験者の動脈酸素濃度を変化させる手段は、被験者の呼気を被験者に再呼吸させる再呼吸装置を備える請求項１４に記載の装置。
【請求項２１】  更に、再呼吸装置は、呼気が再呼吸される前に、呼気から二酸化炭素CO2を除去する手段を備える請求項２０に記載の装置。
【請求項２２】  処理装置は、
（ａ）被験者の動脈酸素濃度に発生する誘導変化に応答して生ずる酸素摂取量の基準レベルに対する被験者の酸素摂取量の偏差量と、
（ｂ）被験者の動脈酸素濃度に発生する誘導変化に応答して生ずる動脈酸素濃度の基準レベルに対する被験者の動脈酸素濃度の偏差量とを決定し、
（ｃ）酸素摂取量の偏差量を動脈酸素濃度の偏差量と比較する請求項１４に記載の装置。
【請求項２３】  処理装置は、被験者の動脈酸素濃度の誘導変化に応答して生ずる酸素摂取量曲線と酸素摂取量の基準レベルとの間の有効領域を決定することによって、被験者の酸素摂取量の偏差量を決定し、被験者の動脈酸素濃度の誘導変化に応答して生ずる動脈酸素濃度曲線と動脈酸素濃度の基準レベルとの間の有効領域を決定することによって、被験者の動脈酸素濃度の偏差量を決定する請求項２２に記載の装置。
【請求項２４】  処理装置は、被験者の動脈酸素濃度の誘導変化に応答して生ずる酸素摂取量曲線の１点と酸素摂取量の基準レベルとの間に伸びる線の勾配を決定することによって、被験者の酸素摂取量の偏差量を決定し、被験者の動脈酸素濃度の誘導変化に応答して生ずる動脈酸素濃度曲線の１点と動脈酸素濃度の基準レベルとの間に伸びる線の勾配を決定することによって、被験者の動脈酸素濃度の偏差量を決定する請求項２２に記載の装置。
【請求項２５】  処理装置は、被験者の動脈酸素濃度の変化に応答して生ずる酸素摂取量曲線の１点と酸素摂取量の基準レベルとの間の大きさを決定することによって、被験者の酸素摂取量の偏差量を決定し、被験者の動脈酸素濃度の変化に応答して生ずる動脈酸素濃度曲線の１点と動脈酸素濃度の基準レベルとの間の大きさを決定することによって、被験者の動脈酸素濃度の偏差量を決定する請求項２２に記載の装置。